(57)【要約】      （修正有）【課題】番組を常時録画する場合でも、補助記憶装置の劣化の進行を抑えて、補助記憶装置が故障しにくくする録画装置を提供する。【解決手段】チューナーユニット１１に含まれる複数のチューナーと、複数の補助記憶装置２１〜３３と、各チューナーとこのチューナーが受信するチャンネルと各補助記憶装置との対応関係を保持し、この対応関係を用いて補助記憶装置に番組を常時録画する録画処理手段３１と、各補助記憶装置の状態を示す情報を取得する状態取得手段と、状態取得手段により取得された情報をもとに、各補助記憶装置の劣化度を判定する状態判定手段３３と、録画された番組における番組の再生頻度をチャンネル毎に算出する再生頻度算出手段３４と、対応関係において、再生頻度が高いチャンネルの録画先を判定された劣化度が低い補助記憶装置に設定する設定手段３５と、を有する。【選択図】図３
2015231075.tif 000002
【特許請求の範囲】
【請求項１】
複数のチューナーと、
複数の補助記憶装置と、
前記チューナーと、前記チューナーが受信するチャンネルと、前記補助記憶装置と、の対応関係を保持し、前記対応関係を用いて前記補助記憶装置に前記チャンネルで放送する番組を常時録画する録画処理手段と、
前記補助記憶装置の状態を示す情報を取得する状態取得手段と、
前記状態取得手段により取得された情報をもとに、前記補助記憶装置の劣化度を判定する状態判定手段と、
録画された番組における番組の再生頻度をチャンネル毎に算出する再生頻度算出手段と、
前記対応関係において、前記再生頻度が高いチャンネルの録画先を判定された前記劣化度が低い前記補助記憶装置に設定する設定手段と、を有することを特徴とする録画装置。
【請求項２】
前記補助記憶装置の状態を示す情報は、前記補助記憶装置の動作時間であって、
前記状態判定手段は、前記動作時間が長い前記補助記憶装置の前記劣化度を高く判定する、ことを特徴とする請求項１に記載の録画装置。
【請求項３】
前記補助記憶装置の状態を示す情報は、前記補助記憶装置で発生したエラーの回数であって、
前記状態判定手段は、前記エラーの回数が多い前記補助記憶装置の前記劣化度を高く判定する、ことを特徴とする請求項１または請求項２のいずれかに記載の録画装置。
【請求項４】
前記設定手段は、前記再生頻度が低いチャンネルの録画先を判定された前記劣化度が高い前記補助記憶装置に設定する、ことを特徴とする請求項１または請求項２のいずれかに記載の録画装置。
【請求項５】
前記設定手段は、前記劣化度が高い前記補助記憶装置を録画先から除外し、録画先として除外されなかった前記補助記憶装置を、録画対象となるチャンネルの録画先として設定する、ことを特徴とする請求項１に記載の録画装置。
【請求項６】
前記設定手段は、前記再生頻度が低いチャンネルにかかる番組の情報量を低くして、前記補助記憶装置に録画する、ことを特徴とする請求項１から請求項５のいずれか一項に記載の録画装置。
【請求項７】
前記設定手段は、前記再生頻度が低いチャンネルにかかる番組の前記補助記憶装置への記録期間を、前記再生頻度が高いチャンネルにかかる番組の前記補助記憶装置への記録期間と比べて短くする、ことを特徴とする請求項１から請求項５のいずれか一項に記載の録画装置。
【発明の詳細な説明】
【技術分野】
【０００１】
本発明は、複数の補助記憶装置に番組を録画する録画装置に関する。
【背景技術】
【０００２】
録画装置では、番組を録画するための補助記憶装置を備えている。補助記憶装置は、ＨＤＤ等の磁気記憶型、ＳＳＤ（Solid State Drive）等の半導体記憶型、が存在する。例えば、特許文献１の録画装置は、複数の補助記憶装置と、テレビジョン放送を受信する複数のチューナーとを備え、各チューナーが受信する番組の録画先となる補助記憶装置を設定できることが記載されている（例えば、特許文献１参照）。
【０００３】
また、録画装置において、設定されたチャンネルで放送される番組を常時録画する録画機能を備えるものが知られている。このような録画機能では、あるチャンネルで放送される番組を、例えば、決められた時間だけ常時録画し続けることが可能となる。
【先行技術文献】
【特許文献】
【０００４】
【特許文献１】特開２０１１−１３４４１１号公報
【発明の概要】
【発明が解決しようとする課題】
【０００５】
補助記憶装置に番組を長時間にわたり連続で録画すると、補助記憶装置の劣化が進行する。補助記憶装置が劣化すると、補助記憶装置の故障の原因ともなる。
【０００６】
本発明は、上記課題にかんがみてなされたもので、番組を常時録画する場合でも、補助記憶装置の劣化の進行を抑えて、補助記憶装置が故障しにくくすることを目的とする。
【課題を解決するための手段】
【０００７】
上記課題を解決するために、本発明の一態様では、複数のチューナーと、複数の補助記憶装置と、前記チューナーと、前記チューナーが受信するチャンネルと、前記補助記憶装置と、の対応関係を保持し、前記対応関係を用いて前記補助記憶装置に前記チャンネルで放送する番組を常時録画する録画処理手段と、前記補助記憶装置の状態を示す情報を取得する状態取得手段と、前記状態取得手段により取得された情報をもとに、前記補助記憶装置の劣化度を判定する状態判定手段と、録画された番組における番組の再生頻度をチャンネル毎に算出する再生頻度算出手段と、前記対応関係において、前記再生頻度が高いチャンネルの録画先を判定された前記劣化度が低い前記補助記憶装置に設定する設定手段と、を有する。
【０００８】
『常時録画』とは、あるチャンネルを所定の時間録画し続けることを意味し、チャンネルの全ての放送時間で放送される番組を録画することは無論のこと、全ての放送時間のうち、録画が行われない時間が含まれる場合も含む。
『状態取得手段』が取得する情報は、補助記憶装置の状態を定量的に示すものであればどのようなものであってもよく、補助記憶装置の動作時間や、この補助記憶装置により生じた各種のエラーの発生回数などが含まれる。また、『状態取得手段』は、このような情報を取得できるものであれば、どのようなものであってもよく、補助記憶装置がその内部に備える周知のスマート機能（SMART:Self-Monitoring. Analysis and Rporting Technology）のほか、情報を取得するためのセンサー、マイクロコンピューターによる機能の一部により実現されるものであってもよい。
『劣化度』とは、補助記憶装置が経年劣化や部材劣化等により劣化する度合いを独自に示す指標値である。劣化度が高い補助記憶装置は、劣化度が低い補助記憶装置に比べて故障等の発生により使用できなくなる可能性が高くなる。
『再生頻度』とは、補助記憶装置に録画された番組が再生される割合を意味し、番組が再生された総時間の長さや、再生回数、を含んでいる。
【０００９】
上記のように構成された発明では、劣化度が低い補助記憶装置を、視聴頻度が高いチャンネルの録画先として設定するため、劣化度が高い補助記憶装置を録画や番組の再生に使用する回数が減少する。そのため、補助記憶装置の劣化する速度を遅らせることで、補助記憶装置を故障しにくくすることができる。
【図面の簡単な説明】
【００１０】
【図１】一例としての録画装置１００の外観図。
【図２】本発の一実施形態に係る録画装置１００の 内部構成を示すブロック図。
【図３】システムコントローラ３０の機能を説明する機能ブロック図。
【図４】録画設定の更新の際に表示装置５０に表示させる録画設定画面を示す図。
【図５】録画設定画面２００を通じて受け付けた録画設定を記録する録画設定テーブル２１０を示す図。
【図６】劣化度判定処理を説明するフローチャート。
【図７】劣化度判定処理により更新される劣化度判定テーブル３００を示す図。
【図８】視聴頻度判定処理を説明するフローチャート。
【図９】視聴頻度判定処理により更新される視聴頻度テーブル４００を示す図。
【図１０】録画設定処理を説明するフローチャート。
【図１１】図１０のステップＳ３５で実行される自動最適化処理を説明するフローチャート。
【図１２】ステップＳ３５３の処理を説明する図。
【図１３】第２の実施形態において、設定手段３５が実施する最適化処理の手法を示すフローチャート。
【図１４】ステップＳ１３５４の処理を説明する図である。
【発明を実施するための形態】
【００１１】
以下、下記の順序に従って本発明の実施形態を説明する。
１．第１の実施形態：
（１）録画装置の構成
（２）劣化度判定処理
（３）視聴頻度判定処理
（４）録画設定処理
２．第２の実施形態：
３．第３の実施形態：
４．その他の実施形態：
【００１２】
１．第１の実施形態：
（１）録画装置の構成
【００１３】
図１は、一例としての録画装置１００の外観図である。録画装置１００は、図１では表示していないアンテナと接続し、このアンテナを通じて受信されるテレビジョン放送を録画することができる。第１の実施形態で示す録画装置は、補助記憶装置としてＨＤＤを内蔵しており、番組にかかるデータをこのＨＤＤに録画（記録）する。また、録画装置１００は、テレビジョン受像機等の表示装置と接続することで、録画された番組を再生する際、番組を表示装置５０に表示させることができる。
【００１４】
図２は、本発の一実施形態に係る録画装置１００の 内部構成を示すブロック図である。図２に示す録画装置１００は、チューナーユニット１１、復調ＩＣ１２、トランスコーダ１３、補助記憶装置２０、フラッシュメモリ１４、ＤＲＡＭ１５、ＳＯＣ１６、サブコントローラ１７、出力ＩＦ１８を備えている。
【００１５】
チューナーユニット１１は、複数のチューナー＃１〜♯Ｎを備えている。各チューナー＃１〜＃Ｎは、不図示のアンテナから地上デジタル放送や、衛星放送の信号を受信する。この第１の実施形態では、チューナー＃１〜＃６は、タイムシフト録画に使用されるチューナーである。
【００１６】
チューナーユニット１１の出力側には、復調ＩＣ１２が接続されている。復調ＩＣ１２は、各チューナー＃１〜＃Ｎで受信したテレビジョン放送を復調し、トランスポートストリームＴＳ（Transport Stream）を生成する。復調ＩＣ１２は、チューナー＃１〜＃Ｎのそれぞれと個別に接続する独立した回路を備えており、チューナー＃１〜＃Ｎにより受信した信号を同時に復調することができる。
【００１７】
また、復調ＩＣ１２の出力側には、トランスコーダ１３が接続されている。トランスコーダ１３は、復調ＩＣ１２により復調されたＴＳが入力され、ＴＳに対して所定の変換処理を施すことにより、データサイズを変更する。トランスコーダ１３は例えば、デコード形式を変更することなく動画データの解像度を 下げたり、フレーム間予測情報が少ない演算方法により不可逆圧縮したりすることにより 、データサイズを縮小する。録画装置１００がトランスコーダ１３を備えていなくともよい。  
【００１８】
トランスコーダ１３の出力側にはＳＯＣ１６が接続されている。ＳＯＣ（System On Chip）１６は、トランスコーダ１３から出力されたＴＳを補助記憶装置２０に録画する際の処理を行う。また、ＳＯＣ１６には、複数の補助記憶装置２０（第１のＨＤＤ２１、第２のＨＤＤ２２、ＵＳＢＨＤＤ２３）が接続されており、トランスコーダ１３の各入出力ラインと、補助記憶装置２０とを個々に繋いでいる。また、ＳＯＣ１６には、録画装置１００の動作を統合的に制御するシステムコントローラ３０が内蔵されている。システムコントローラ３０の機能については後述する。
【００１９】
ＳＯＣ１６に接続される補助記憶装置２０は、第１のＨＤＤ（ＨＤＤ１とも記載する）２１、第２のＨＤＤ（ＨＤＤ２とも記載する）２２、ＵＳＢＨＤＤ２３により構成される。第１のＨＤＤ２１と第２のＨＤＤ２２とは、録画装置１００の内蔵型のＨＤＤである。一方、ＵＳＢＨＤＤ２３は、周知のＵＳＢ方式を用いてＳＯＣ１６とリムーバブルに接続されるＨＤＤである。無論、録画装置１００が備える補助記憶装置２０を、第１のＨＤＤ２１、第２のＨＤＤ２２、ＵＳＢＨＤＤ２３とで構成することは一例に過ぎず、少なくとも２つ以上の補助記憶装置２０を備える場合や、ＳＳＤ等の半導体記録方式の補助記憶装置を、用いるものであってもよい。
【００２０】
ＳＯＣ１６には、サブコントローラ１７が接続されている。サブコントローラ１７は、図示しない表示部やリモコン装置４０からのコマンドを受け付けるリモコン受信部を備えている。ユーザはリモコン装置４０を操作することで、タイムシフト録画にかかる操作を録画装置１００に入力することができる。
【００２１】
出力ＩＦ１８は、例えば、ＩＥＥＥ８０２．３規格に準拠したネットワーク接続端子無線ＬＡＮボード等の通信インタフェースを含む。通信部はこれらの通信インタフェー スを用いて、録画装置１００と外部の装置、例えば不図示のパソコンタブレット 等を接続し、デジタル信号の入出力を行う。これにより、例えばＤＬＮＡ機能による画像 ／音の配信、タブレットを用いた録画装置１００の遠隔操作等が可能となる。
【００２２】
システムコントローラ３０は、各種演算、処理、制御を行う演算処理装置である。システムコントローラ３０は、不図示のＲＯＭに記録されたプログラムや、フラッシュメモリ１４に記録されたデータをもとに所定の手段を実現する。 
【００２３】
図３は、システムコントローラ３０の機能を説明する機能ブロック図である。図３に示す各手段は、システムコントローラ３０がＲＯＭに記録されたプログラムを実行することにより実現される機能部を表している。
【００２４】
録画処理手段３１は、チューナーユニット１１が受信する各チャンネルの番組を２４時間連続して録画する処理（タイムシフト録画）を行う。録画処理手段３１は、各チューナー １１♯１〜１１♯Ｎに対する選局制御、トランスコーダ１３に対する変換制御等を行い、補助記憶装置２０に 対して常に録画データを記録することにより、連続録画を行う。
【００２５】
また、録画処理手段３１は、録画設定をもとにタイムシフト録画を行う。タイムシフト録画の録画設定では、少なくとも、チューナー１１、チャンネル、録画先の補助記憶装置２０との対応関係が設定されている。また、録画設定は、ユーザによる操作入力をもとに、設定を更新することができる。録画設定は、例えば、フラッシュメモリ１４に記録されている。
【００２６】
図４は、録画設定の更新の際に表示装置５０に表示させる録画設定画面を示す図である。図４では、タイムシフト録画で使用可能なチューナー１１を示すアイコン２０１と、各チューナー１１に対応づけられたチャンネルを示すアイコン２０２と、各チューナー１１が受信した番組を録画する録画先の補助記憶装置（ＨＤＤ１、ＨＤＤ２、ＵＳＢＨＤＤ）を示すアイコン２０３と、補助記憶装置に録画された番組の記録期間を示すアイコン２０４と、が表示されている。記録期間は、録画された番組が補助記憶装置２０に保存される期間を示すパラメータである。図４では、記録期間は、『１４日』となっており、補助記憶装置２０に録画された番組は１４日間保存されたのち削除される。
ユーザは、図４に示す録画設定画面２００において、各アイコンを操作することで、チューナー、受信チャンネル、録画先の補助記憶装置２０の対応関係を変更することができる。
【００２７】
図５は、録画設定画面２００を通じて受け付けた録画設定を記録する録画設定テーブル２１０を示す図である。この録画設定テーブル２１０は、録画設定画面２００を通じて受け付けた各種設定（チューナー、チャンネル、録画先、記録期間）の対応関係が記録されている。例えば、録画設定テーブル２１０は、フラッシュメモリ１４に記録され、録画処理手段３１は、タイムシフト録画を行う際にこの録画設定テーブル２１０を参照する。
【００２８】
再生制御手段３２は、録画処理手段３１により補助記憶装置２０に録画された番組の再生を制御する。例えば、再生制御手段３２は、ユーザが図示しない電子番組表を用いて、録画された番組の再生を選択した場合に、選択された番組を補助記憶装置２０から読み出し、再生する。
【００２９】
状態判定手段３３は、タイムシフト録画による番組の録画先となる補助記憶装置２０の劣化度を判定する。この第１の実施形態では、状態判定手段３３は、補助記憶装置２０が備えるスマート機能２４により劣化度を判定するための指標値を取得する。そして、状態判定手段３３は、取得した指標値をもとに、補助記憶装置の劣化度を判定する。
【００３０】
視聴頻度算出手段３４は、タイムシフト録画により録画された番組の再生頻度（視聴頻度）をチャンネル毎に集計する。ここで、番組の視聴頻度は、総再生時間、再生回数、であり、チャンネル毎に集計される。
【００３１】
設定手段３５は、図４に示す録画設定画面２００をもとに入力された条件をもとに、録画設定テーブル２１０を更新する。また、設定手段３５は、状態判定手段３３により判定された各補助記憶装置２０の劣化度と、視聴頻度算出手段３４により集計された視聴頻度とをもとに、タイムシフト録画の設定項目であるチューナー１１と録画先の補助記憶装置２０との関係を自動で最適化（変更）することができる。
【００３２】
（２）劣化度判定処理
状態判定手段３３により実施される補助記憶装置２０の劣化度を判定するための処理（劣化度判定処理）を説明する。
図６は、故障率判定処理を説明するフローチャートである。図７は、劣化度判定処理により更新される劣化度判定テーブル３００を示す図である。図６に示す劣化度判定処理は、例えば、１日毎といった所定の周期でシステムコントローラ３０（状態判定手段３３）が実行する。
【００３３】
ステップＳ１１では、システムコントローラ３０は、フラッシュメモリ１４に記録された劣化度判定テーブル３００をＤＲＡＭ１５に展開する。図７に示す劣化度判定テーブル３００には、各行を特定するためのＩＤ、補助記憶装置２０の『デバイス名』、補助記憶装置２０のスマート機能２４により取得されるスマート値（指標値）の累積数がそれぞれ対応づけられている。図７では、指標値として、『累積使用時間』、『回復不能エラーの回数』、『代替処理済みセクタの数』、『異常動作温度の回数』により構成されている。
『デバイス名』は、録画装置１００がタイムシフト録画に使用する補助記憶装置２０の名称であり、この第１の実施形態では、第１のＨＤＤ２１、第２のＨＤＤ２２、ＵＳＢＨＤＤ２３である。
『累積使用時間』は、補助記憶装置２０が録画または再生により使用された時間の累積時間を示す。
『回復不能エラーの回数』は、補助記憶装置２０の内部で発生するエラーのうち、回復できないエラーが生じた回数を示す。
『代替処理済みセクタの数』は、補助記憶装置２０の内部でセクタの代替処理が行われた数を示す。
『異常動作温度の回数』は、補助記憶装置２０の温度が異常を示す値まで上昇した際の回数を示す。
【００３４】
ステップＳ１２では、システムコントローラ３０は、劣化度判定テーブル３００の参照先のＩＤを初期化する。そのため、劣化度判定テーブル３００の参照先として初期値（ＩＤ＝１）が設定される。
【００３５】
ステップＳ１３では、システムコントローラ３０は、参照先の補助記憶装置２０に対して指標値（スマート値）を要求する。
ステップＳ１４では、システムコントローラ３０は、補助記憶装置２０から返信された指標値をもとに、劣化度判定テーブル３００の該当セルを更新する。
【００３６】
ステップＳ１５では、システムコントローラ３０は、全てのＩＤに対して指標値を取得していなければ（ステップＳ１５：ＮＯ）、ステップＳ１６に進む。ステップＳ１６では、 システムコントローラ３０は、参照先のＩＤに１をプラスする。以下、システムコントローラ３０は、ステップＳ１３、Ｓ１４の処理を繰り返す。 
【００３７】
全てのＩＤに対して指標値を取得していれば（ステップＳ１５：ＹＥＳ）、 システムコントローラ３０は、ステップＳ１７に進む。
ステップＳ１７では、システムコントローラ３０は、ある指標値をもとに、補助記憶装置２０の劣化度の順位付けを行う。例えば、この第１の実施形態では、システムコントローラ３０は、累積使用時間を用いて、補助記憶装置２０の劣化度が高いものから順位付けを行う。そのため、累積使用時間が長いものから順に、劣化度判定テーブル３００の『デバイス名』の並び替えが行われる。無論、劣化度の判定方法は、累積使用時間に限定されず、エラー回数といった他の指標値を用いる場合や、複数の指標値を組み合わせるものであってもよい。
【００３８】
（３）視聴頻度判定処理
視聴頻度算出手段３４により実施される番組の視聴頻度を集計するための処理（視聴頻度判定処理）を説明する。
図８は、視聴頻度判定処理を説明するフローチャートである。図９は、視聴頻度判定処理により更新される視聴頻度テーブル４００を示す図である。図８に示す視聴頻度判定処理は、例えば、補助記憶装置２０に録画されている番組の再生が行われる毎に、システムコントローラ３０（視聴頻度算出手段３４）が実行する。  
【００３９】
ステップＳ２１では、システムコントローラ３０は、フラッシュメモリ１４に記録された視聴頻度テーブル４００をＤＲＡＭ１５に展開する。
図９に示す視聴頻度テーブル４００には、タイムシフト録画の対象となっているチャンネルごとに、所定の単位時間（本実施形態では１時間）で時間帯が区切られている。すなわち、視聴頻度テーブル４００の１つのチューナー１１により特定される行は、２４行の単位時間により、６×２４＝１４４のマスが含まれている。
単位時間は１時間に限定されず、３０分ごと、１０分ごと等任意の値に設定することができる。  
【００４０】
ステップＳ２２では、システムコントローラ３０は、再生対象となっているチャンネルを取得する。ステップＳ２３では、システムコントローラ３０は、番組の再生開始時刻を取得する。
【００４１】
ステップＳ２４では、システムコントローラ３０は、ステップＳ２２で取得されたチャンネル番号と、ステップＳ２３で取得された番組の再生時刻とで特定される視聴頻度テーブル４００の該当セルの値を更新する。例えば、システムコントローラ３０は、再生対象のチャンネルが地上ＣＨ４であり、録画時間帯が１４時から１ ５時である場合、地上ＣＨ４に該当する行の１３列のマスと２行１４列のマスにそれぞれ１が加えられる。
【００４２】
ステップＳ２５では、システムコントローラ３０は、チャンネル毎のセルの値を集計する。そのため、例えば、各チャンネルにおいて１日分の視聴時間がセルの合計値をもとに判断することが可能となる。
【００４３】
ステップＳ２６では、システムコントローラ３０は、ステップＳ２５の集計結果の複数日分の合計値をもとに各チャンネルの視聴頻度の順位付けを行う。例えば、１週間分の各チャンネルの集計結果が少ないものから順に順位付けが行われる。
【００４４】
（４）録画設定処理
設定手段３５により実施される番組の録画先の補助記憶装置２０を最適化するための処理（録画設定処理）を説明する。
図１０は、録画設定処理を説明するフローチャートである。図１０に示す録画設定処理は、タイムシフト録画を行う際のチューナーと、チューナーが受信するチャンネルと、番組の録画先とを設定するための処理である。
【００４５】
ステップＳ３１では、システムコントローラ３０は、録画設定画面２００を表示させる。録画設定画面２００（図４）では、タイムシフト録画の録画設定として、チューナー名と、チューナーに対応づけられたチャンネル名と、録画先の補助記憶装置２０と、記録期間と、が表示されている。
【００４６】
録画設定画面２００において、ユーザが手動操作を選択した場合（ステップＳ３２：ＹＥＳ）、ステップＳ３３では、システムコントローラ３０は、ユーザの操作に従って、録画設定テーブル２１０を更新する。
【００４７】
録画設定画面２００において、ユーザが手動操作を選択せず（ステップＳ３２：ＮＯ）、自動最適化処理を選択した場合（ステップＳ３４：ＹＥＳ）、システムコントローラ３０は、ステップＳ３５に進む。ステップＳ３５では、システムコントローラ３０は、録画設定テーブル２１０を更新するための自動最適化処理を行う。なお、いずれかの設定も選択しなければ（ステップＳ３４：ＮＯ）、処理を終了する。
【００４８】
図１１は、図１０のステップＳ３５で実行される自動最適化処理を説明するフローチャートである。図１１に示す自動最適化処理では、補助記憶装置２０の劣化度と、チャンネル毎の視聴頻度とをもとに、録画設定テーブル２１０の最適化が行われる。
【００４９】
図１１のステップＳ３５１では、システムコントローラ３０は、劣化度判定テーブル３００を参照する。この劣化度判定テーブルには、劣化度が高いものから順に、『デバイス名』が記録されている。
【００５０】
ステップＳ３５２では、システムコントローラ３０は、視聴頻度テーブル４００を参照する。この視聴頻度テーブル４００には、視聴頻度の低いものから順に各チャンネルの順位が設定されている。
【００５１】
ステップＳ３５３では、システムコントローラ３０は、劣化度判定テーブル３００に設定されている各補助記憶装置２０の劣化度の順位と、視聴頻度テーブル４００に設定されている録画対象チャンネルの視聴頻度の順位とをもとに、チャンネルとデバイス名とを対応付ける。
【００５２】
図１２は、ステップＳ３５３の処理を説明する図である。この第１の実施形態では、劣化度が高い補助記憶装置２０から順に、視聴頻度が低いチャンネルが、録画先として割り当てられる。また、この第１の実施形態では、１つの補助記憶装置２０は、２つのチャンネルの録画先として割り当てられる。図１２では、劣化度は、第１のＨＤＤ２１、第２のＨＤＤ２２、ＵＳＢＨＤＤ２３の順に低くなる。また、視聴頻度は、地上６ＣＨ、衛星１１ＣＨ、衛星３ＣＨ、地上４ＣＨ、地上８ＣＨ、衛星９ＣＨの順に高くなる。第１のＨＤＤ２１には、地上６ＣＨと衛星１１ＣＨとの録画先として設定され、第２のＨＤＤ２２には、衛星３ＣＨと地上４ＣＨとの録画先として設定され、ＵＳＢＨＤＤ２３は、地上８ＣＨと衛星９ＣＨとの録画先として設定される。
【００５３】
ステップＳ３５４では、システムコントローラ３０は、ステップＳ３５３で対応付けが行われたチャンネルとデバイス名とをもとに、録画設定テーブル２１０で設定されているチャンネルと録画先の補助記憶装置２０との関係を更新する。そのため、表示装置５０に表示される録画設定画面２００には、補助記憶装置２０の劣化度と、チャンネルの視聴頻度とをもとに、チャンネル１１と録画先の補助記憶装置２０との関係が自動で設定される。
【００５４】
図１０に戻り、ステップＳ３６では、ユーザが録画設定画面２００で、設定キーを操作すると（ステップＳ３６：ＹＥＳ）、ステップＳ３７では、システムコントローラ３０は、録画設定テーブル２１０を記録する。一方、ユーザが設定画面２１０で、設定キーを操作しなければ（ステップＳ３６：ＮＯ）、システムコントローラ３０は、ステップＳ３２に戻り、処理を繰り返す。
以下、録画処理手段３１は、更新後の録画設定テーブル２１０に記録されているチューナーと、チャンネルと、補助記憶装置との対応関係をもとに、タイムシフト録画を行う。
【００５５】
以上説明したように、この第１の実施形態では、劣化度が低い補助記憶装置を、視聴頻度が高いチャンネルの録画先として設定するため、劣化度が高い補助記憶装置を録画に使用する回数が減少する。そのため、補助記憶装置の劣化する速度を遅らせることで、録画された番組が視聴できなくなる状態を生じにくくすることができる。また、視聴頻度を用いることで、ユーザの嗜好に合わせた録画設定を行うことができる。
【００５６】
補助記憶装置の劣化度を判定する情報として補助記憶装置の動作時間を用いることで、使用に伴う補助記憶装置の故障を抑制することができる。
設定手段３５は、再生頻度が低いチャンネルの録画先を判定された劣化度が高い補助記憶装置に設定することで、劣化度が高い補助記憶装置の使用回数を少なくし、この補助記憶装置の寿命を延ばすことができる。
【００５７】
２．第２の実施形態
この第２の実施形態では、設定手段３５により実施される最適化処理の手法が他の実施形態と比べて異なる。
図１３は、第２の実施形態において、設定手段３５が実施する最適化処理の手法を示すフローチャートである。図１３に示すフローチャートは、第１の実施形態に示す図１０のフローチャートのステップＳ３５において実施される処理である。
【００５８】
まず、図１０のステップＳ３１では、システムコントローラ３０は、録画設定画面２００を表示させる。録画設定画面２００において、ユーザが手動操作を選択した場合（ステップＳ３２：ＹＥＳ）、ステップＳ３３では、システムコントローラ３０は、ユーザの操作に従って、録画設定テーブル２１０を更新する。
【００５９】
録画設定画面２００において、ユーザが手動操作を選択せず（ステップＳ３２：ＮＯ）、自動最適化処理を選択した場合（ステップＳ３４：ＹＥＳ）、システムコントローラ３０は、ステップＳ３５に進む。ステップＳ３５では、システムコントローラ３０は、録画設定テーブル２１０を更新するための自動最適化処理を行う。
【００６０】
図１３のステップＳ１３５１では、システムコントローラ３０は、劣化度判定テーブル３００を参照する。ステップＳ１３５２では、システムコントローラ３０は、累積使用時間が多い『デバイス名』にかかる補助記憶装置２０を録画先から除外する。すなわち、劣化度が高い補助記憶装置が、タイムシフト録画の録画先から除外されることとなる。
【００６１】
ステップＳ１３５３では、システムコントローラ３０は、視聴頻度テーブル４００を参照する。ステップＳ１３５４では、システムコントローラ３０は、劣化度判定テーブル３００に設定されている各補助記憶装置２０の劣化度の順位と、視聴頻度テーブル４００に設定されている録画対象チャンネルの視聴頻度の順位とをもとに、チャンネルとデバイス名とを対応付ける。
【００６２】
図１４は、ステップＳ１３５４の処理を説明する図である。この第２の実施形態では、劣化度が最も高い補助記憶装置２０を除く、他の補助記憶装置に録画先が割り当てられる。また、この第２の実施形態においても、視聴頻度が最も高いチャンネルの録画先となる補助記憶装置は、最も劣化度が低い補助記憶装置となる。図１４では、劣化度は、第１のＨＤＤ２１、第２のＨＤＤ２２、ＵＳＢＨＤＤ２３の順に低くなる。また、視聴頻度は、地上６ＣＨ、衛星１１ＣＨ、衛星３ＣＨ、地上４ＣＨ、地上８ＣＨ、衛星９ＣＨの順に高くなる。そのため、まず、第１のＨＤＤ２１は、録画先として除外される。次に、第２のＨＤＤ２１には、地上６ＣＨと衛星１１ＣＨと衛星３ＣＨとの録画先として設定され、ＵＳＢＨＤＤ２３は、地上４ＣＨと、地上８ＣＨと衛星９ＣＨとの録画先として設定される。
【００６３】
ステップＳ１３５５では、システムコントローラ３０は、ステップＳ１３５４で対応付けが行われたチャンネルとデバイス名とをもとに、録画設定テーブル２１０で設定されているチャンネルと録画先の補助記憶装置２０との関係を更新する。
【００６４】
ステップＳ１３５６では、システムコントローラ３０は、視聴頻度が低いチャンネルの記録期間を、録画モードを視聴頻度が高いチャンネルの記録期間と比べて短くする。記録期間は、補助記憶装置２０に番組が保持される期間を示す。
そのため、第２のＨＤＤ２２に録画先が設定される、地上６ＣＨ、衛星１１ＣＨ、衛星３ＣＨに対して、記録期間が『１４日間』から『７日間』となるよう録画設定テーブル２１０が更新される。記録期間を短くすることで、補助記憶装置２０に録画される番組の総データ量も少なくなるため、劣化度が高い補助記憶装置２０を録画先から除外した場合でも、画質を維持しつつ番組を再生することができる。
【００６５】
図１０に戻り、ステップＳ３６では、ユーザが録画設定画面２００で、設定キーを操作すると（ステップＳ３６：ＹＥＳ）、ステップＳ３７では、システムコントローラ３０は、録画設定テーブル２１０を記録する。一方、ユーザが設定画面２１０で、設定キーを操作しなければ（ステップＳ３６：ＮＯ）、システムコントローラ３０は、ステップＳ３２に戻り、処理を繰り返す。
以下、録画処理手段３１は、更新後の録画設定テーブル２１０に記録されているチューナーと、チャンネルと、補助記憶装置との対応関係をもとに、タイムシフト録画を行う。
【００６６】
以上説明したように、この第２の実施形態では、第１の実施形態で奏する効果に加えて以下の効果を備える。設定手段３５は、劣化度が高い補助記憶装置を録画先から除外し、録画先として除外されなかった補助記憶装置２０を、録画対象となるチャンネルの録画先として設定するため、劣化度が高い補助記憶装置の使用回数を下げることができる。その結果、劣化度が高い補助記憶装置の寿命を延ばすことができる。
【００６７】
設定手段３５は、再生頻度が低いチャンネルにかかる番組の補助記憶装置２０への記録期間を、再生頻度が高いチャンネルにかかる番組の補助記憶装置２０への記録期間と比べて短くすることで、補助記憶装置２０の空き容量を確保し、効率よく使用することができる。特に、劣化度が高い補助記憶装置２０が録画先から除外される場合でも、残りの補助記憶装置２０に記録する情報量を少なくすることができ、録画対象となったチャンネルを残りの補助記憶装置２０に録画することが可能となる。
【００６８】
３．第３の実施形態：
上述した第２の実施形態のステップＳ１３５６の処理において、視聴頻度が低いチャンネルの録画モードを低くしてもよい。例えば、録画対象のチャンネルの録画モードが『ＸＰ』、『ＳＰ』といった高いモードに設定されている場合に、設定手段３５は、視聴頻度が低いチャンネルの録画モードを『ＬＰ』、『ＥＰ』といった情報量が低いモードに変更する。番組の録画モードを低くすることで、補助記憶装置２０に録画される番組の総データ量も少なくなるため、劣化度が高い補助記憶装置２０を録画先から除外した場合でも、録画対象となったチャンネルを残りの補助記憶装置２０に録画することが可能となる。
【００６９】
４．その他の実施形態：
状態取得手段として、補助記憶装置２０が備えるスマート機能２４を用いたことは一例に過ぎない。情報を取得するためのセンサー、マイクロコンピューターによる機能の一部により実現されるものであってもよい。
【００７０】
補助記憶装置２０の状態を示す情報は、補助記憶装置２０で発生したエラーの回数であってもよい。上記のように構成することで、使用時間が短くともエラーの発生する頻度が高い補助記憶装置２０では、視聴頻度が低いチャンネルの録画先に設定されるため、補助記憶装置２０の故障によりユーザが録画した番組を視聴できなくなる確率を低くすることができる。
【００７１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００７２】
１１…チューナーユニット、１２…復調ＩＣ、１３…トランスコーダ、１４…フラッシュメモリ、１５…ＤＲＡＭ、１６…ＳＯＣ、１７…サブコントローラ、１８…出力ＩＦ、２０…補助記憶装置、２１…第１のＨＤＤ、２２…第２のＨＤＤ、２３…ＵＳＢＨＤＤ、２４…スマート機能、３０…システムコントローラ、３１…録画処理手段、３２…再生制御手段、３３…状態判定手段、３４…視聴頻度算出手段、３５…設定手段、１００…録画装置
【図１】
2015231075.tif 000003
【図２】
2015231075.tif 000004
【図３】
2015231075.tif 000005
【図４】
2015231075.tif 000006
【図５】
2015231075.tif 000007
【図６】
2015231075.tif 000008
【図７】
2015231075.tif 000009
【図８】
2015231075.tif 000010
【図９】
2015231075.tif 000011
【図１０】
2015231075.tif 000012
【図１１】
2015231075.tif 000013
【図１２】
2015231075.tif 000014
【図１３】
2015231075.tif 000015
【図１４】
2015231075.tif 000016